【手続補正書】
【提出日】平成17年5月23日(2005.5.23)
【手続補正１】
【補正対象書類名】明細書
【補正対象項目名】全文
【補正方法】変更
【補正の内容】
【書類名】                  明細書
【発明の名称】拡散噴出装置
【特許請求の範囲】
【請求項１】押しボタン（１）と、肩カバ−（２）と、噴出口（３）を有する貯液タンク（８）とからなり、その噴出口（３）の下端部に噴射弁を取り付け、噴出口（３）の上部で押しボタン（１）の中心部分に流体の流路用通孔（９）を設け、流路用通孔（９）の下方周囲に下向環状突部（４）を設け、その下向環状突部（４）内に噴出口（３）を差し込み、押しボタン（１）の中心部分の上側に上向環状突部（５）を設け、その上向環状突部（５）の中心部分に円筒状形状の部分とその上に擂り鉢状形状の流体の流路を形成し、その上方から下方を円筒状形状にし、上方を擂り鉢状形状にした栓（６）の機能を有するもので閉鎖せしめ、その擂り鉢状形状にした栓（６）の下面部との間にできた隙間を流路（７）にし、その流路（７）から周囲へ内容物を拡散させ得ることを特徴にした拡散噴出装置。
【請求項２】押しボタン（１）の下方部分でその円周の一部分に突出水平部分（１３’）を形成し、その突出水平部分と対向する位置で、肩カバ−（２）の上部でその円周の一部分に突出水平部分（１４’）を形成したものにおいて、前記肩カバ−（２）の突出水平部分（１４’）を上記押しボタン（１）の突出水平部分（１３’）に突き合わせ状態にした位置を停止位置として設定し、また、押しボタン（１）を上下方向へ移動させ得るようにするために、押しボタン（１）の下向き突出台形部分（１３）と肩カバ−（２）の上向き突出台形部分（１４）とを筋違い状態に位置させて押しボタン（１）を押し下げ得るようにした請求項１記載の拡散噴出装置。
【発明の詳細な説明】
【０００１】
【産業上の利用分野】
本発明は、拡散噴出装置に関し、特に、少ない部品で作られていても確実に作動し、広範囲に拡散噴出させることに適した拡散噴出装置に関する。
【０００２】
【従来の技術】
従来から一つの噴射口から内容物を噴射することは行われてきた。また複数の噴出口から内容物を噴射することも行われてきた。しかし、広範囲にわたり噴出させる噴出装置は開発されていない。
【０００３】
【発明が解決しようとする課題】
そこで、噴出装置の構造に工夫を凝らして、内容物の噴射とその拡散を確実にさせ得る噴出装置とすることを第１の課題とする。
また、多量の噴出物の拡散を確実にさせた拡散装置にすることを本発明の第２の課題とする。
また、押しボタンの下方部分でその円周の一部分に突出水平部分を形成し、その突出水平部分と対向する位置で、肩カバ−の上部でその円周の一部分に突出水平部分を形成したものにおいて、前記肩カバ−の突出水平部分を上記押しボタンの突出水平部分に突き合わせ状態にした位置を停止位置として設定し、また、押しボタンを上下方向へ移動させ得るようにするために、押しボタンの下向き突出台形部分と肩カバ−の上向き突出台形部分とを筋違い状態に位置させて押しボタンを押し下げ得るようにして使用状態にさせることを第３の課題とする。
また、押しボタンの中心部分の上側に上向環状突部を設け、その上向環状突部の中心部分に円筒状形状の部分とその上に擂り鉢状形状の流体の流路を形成し、その上方から下方を円筒状形状にし、上方を擂り鉢状形状にした栓の機能を有するもので閉鎖せしめ、擂り鉢状形状にした栓の下面部と上向環状突部の内面との間にできた隙間を流路にし、その流路から周囲に内容物を拡散させ得る噴出装置にすることを第４の課題とする。
【０００４】
【問題を解決するための手段】
本発明は、押しボタン（１）と、肩カバ−（２）と、噴出口（３）を有する貯液タンク（８）とからなり、その噴出口（３）の下端部に噴射弁を取り付け、噴出口（３）の上部で押しボタン（１）の中心部分に流体の流路用通孔（９）を設け、流路用通孔（９）の下方周囲に下向環状突部（４）を設け、その下向環状突部（４）内に噴出口（３）を差し込み、押しボタン（１）の中心部分の上側に上向環状突部（５）を設け、その上向環状突部（５）の中心部分に円筒状形状の部分とその上に擂り鉢状形状の流体の流路を形成し、その上方から下方を円筒状形状にし、上方を擂り鉢状形状にした栓（６）の機能を有するもので閉鎖せしめ、擂り鉢状形状にした栓（６）の下面部との間にできた隙間を流路（７）にし、その流路（７）から周囲に内容物を拡散させ得ることを特徴にした拡散噴出装置である。
【０００５】
【作用】
本発明は、拡散噴出装置であり、押しボタン１と、肩カバ−２と、噴出口３を有する貯液タンク８とからなり、その噴出口３の下端部に噴射弁を取り付け、噴出口３の上部で押しボタン１の中心部分に流体の流路用通孔９を設け、流路用通孔９の下方周囲に下向環状突部４を設け、その下向環状突部４内に噴出口３を差し込み、この拡散噴出装置の貯液タンク８が有する噴出口３からは、その噴射弁を開口して貯液を噴出させ、その上部に上向きの擂り鉢状形状の流体の流路を形成しているので、その流路に従い貯液タンク８からの流体を拡散させることができる。
本発明は、拡散噴出装置であり、その押しボタン１の中心部分の上側に上向環状突部５を設け、その上向環状突部５の中心部分に円筒状形状の部分とその上に擂り鉢状形状の流体の流路を形成し、その上方から下方を円筒状形状にし、上方を擂り鉢状形状にした栓６の機能を有するもので閉鎖せしめ、擂り鉢状形状にした栓６の下面部と上向環状突部の内面との間にできた隙間を流路７にした拡散噴出装置であるから、押しボタン１を旋回させて押しボタン１の突出水平部分１３’を肩カバ−２の突出水平部分１４’との突き合わせ状態から外し、押しボタン１を押し下げることにより、その拡散噴出装置の貯液タンク８内の貯液を噴出口３から噴出させて、擂り鉢状形状の流体の流路を通過しつつ上向きの擂り鉢状形状の流体の流路７から流体を離散させ得る。
【０００６】
【実施例１】
本発明は、図面、特に４に示すように、押しボタン１と、肩カバ−２と、噴出口３を有する貯液タンク８とからなり、その噴出口３の下端部に噴射弁を取り付け、噴出口３の上部で押しボタン１の中心部分に流体の流路用通孔９を設け、流路用通孔９の下方周囲に下向環状突部４を設け、その下向環状突部４内に噴出口３を差し込み、押しボタン１の中心部分の上側に上向環状突部５を設け、その上向環状突部５の中心部分に円筒状形状の部分とその上に擂り鉢状形状の流体の流路を形成し、その上方から下方を円筒状形状にし、上方を擂り鉢状形状にした栓６の機能を有するもので閉鎖せしめ、擂り鉢状形状にした栓６の下面部と上向環状突部の内面との間にできた隙間を流路７にし、その流路７から周囲に内容物を拡散させ得ることを特徴にした拡散噴出装置である。
また、図１、２に示すように、押しボタン１の下方部分でその円周の一部分に突出水平部分１３’を形成し、その突出水平部分と対向する位置で、肩カバ−２の上部でその円周の一部分に突出水平部分１４’を形成したものにおいて、前記肩カバ−（２）の突出水平部分（１４’）を上記押しボタン（１）の突出水平部分（１３’）に突き合わせ状態にした位置を停止位置として設定し、また、押しボタン（１）を上下方向へ移動させ得るようにするために、押しボタン（１）の下向き突出台形部分（１３）と肩カバ−（２）の上向き突出台形部分（１４）とを筋違い状態に位置させて押しボタン（１）を押し下げ得ることを特徴にした拡散噴出装置である。
【０００７】
【効果】
本発明は、押しボタン１と、肩カバ−２と、噴出口３を有する貯液タンク８とからなり、その噴出口３の下端部に噴射弁を取り付け、噴出口３の上部で押しボタン１の中心部分に流体の流路用通孔９を設け、流路用通孔９の下方周囲に下向環状突部４を設け、その下向環状突部４内に噴出口３を差し込み、押しボタン１の中心部分の上側に上向環状突部５を設け、その上向環状突部５の周囲に噴出口３から噴射された流体の流路を形成し、その流体の流路を周囲に噴射し拡散し得るような形状の構造にしたのであるから、流体の流路を通じて流体が噴射し拡散し得るのであり、それには押しボタン１の上向環状突部５の上部から栓６をして、その栓６の下方の隙間から上部周囲へ向けて噴射し拡散して噴出させ得る効果がある。
また、本発明は、噴出装置から出る流体の流路の軌跡は擂り鉢状形状の流路としてなるのであり、流体の流路の軌跡に従い、噴射状態を望ましくしたものであるから、噴出装置の噴出口３から噴射し拡散して噴出させ、徐々に減速し、拡散させながら安定的に噴出させ得る効果がある。
また、本発明は、そのまま流体が流路を通過して広く拡散されるのを特徴とした噴出装置であるから、噴射弁を開き、噴射弁の上方に位置する噴出口３から流体が流れ出し、その流体が擂り鉢状形状の部分に適切に拡散されながら流れ出し得るようにしてそのまま、流体が流路上に何の抵抗もなく通過して広く拡散され得る効果がある。
【図面の簡単な説明】
【図１】
本発明の拡散噴出装置の押しボタン１を適宜角度旋回させて、押しボタン１の突出水平部分１３’を、上向き台形部分１４を有する肩カバ−２の突出水平部分１４’との突き合わせ状態から外し、押しボタン１を押し下げて使用状態にし、噴射を可能にした拡散噴出装置の正面図である。
【図２】
本発明の拡散噴出装置の押しボタン１の突出水平部分１３’と上向き台形部分１４を有する肩カバ−２の突出水平部分１４’とを突き合わせて押しボタン１を下降させ得ない不使用状態の図であって、噴射をさせ得ぬようにした拡散噴出装置の正面図である。
【図３】
押しボタン１の要部である噴射部を丸印１０で示した本発明の拡散噴出装置の部分断面図である。
【図４】
本発明の拡散噴出装置の要部の拡大詳細断面図である。
【符号の説明】
１    押しボタン                        ２    肩カバ−
３    噴出口                            ４    下向環状突部
５    上向環状突部                      ６    上方を擂り鉢状形状にした栓
７    流路                              ８    貯液タンク
９    流体の流路用通孔                  １０  噴射部
１１  肩カバ−の下端係止具              １２  容器缶の環状突部
１３  押しボタンの突出台形部分          １４  肩カバ−の突出台形部分
１３’押しボタンの突出水平部分          １４’肩カバ−の突出水平部分


【手続補正２】
【補正対象書類名】図面
【補正対象項目名】全図
【補正方法】変更
【補正の内容】
【図１】
2003341758.tif 000001
【図２】
2003341758.tif 000002
【図３】
2003341758.tif 000003
【図４】
2003341758.tif 000004